(57)【要約】【構成】排水配管システムでは、排水器具１２に器具排水縦管１４が垂直方向に接続され、器具排水縦管１４の下端部に分岐継手１８を介して排水横枝管２９の上流側端部が接続されて、排水横枝管２９が器具排水縦管１４の下流側に水平方向に配置される。また、分岐継手１８に継手３０が接続され、継手３０が器具排水縦管１４の上流側に配置され、継手３０の上端に給水管２０の水出口２２が設けられる。この水出口２２は排水横枝管２９の管頂部より高い位置に配置され、水出口２２から流水が給水圧程度で供給される。【効果】排水が水出口２２に付かず、水出口２２の詰まりが防止される。また、流水を加圧する特別な加圧装置などを必要とせず、経済的である。【選択図】図１
2008025245.tif 000002
【特許請求の範囲】
【請求項１】
排水器具から下方に配置される器具排水縦管を分岐継手を介して、排水横枝管路に接続した排水配管システムにおいて、
前記器具排水縦管との接続位置より排水横枝管路の上流側にノズルを設け、前記ノズルの水出口を前記排水横枝管路の管頂より高い位置に配置するようにしたことを特徴とする、排水配管システム。
【請求項２】
前記排水横枝管路の角より上流側に前記ノズルを設け、前記ノズルの水出口を前記排水横枝管路の管頂より高い位置に配置するようにしたことを特徴とする、請求項１記載の排水配管システム。
【請求項３】
前記排水横枝管路に設けられる温度センサをさらに備え、
前記温度センサの検出温度が所定温度を超えたとき、前記ノズルの前記水出口から流水を出すようにした、請求項１または２記載の排水配管システム。
【請求項４】
前記排水器具に設けられたディスポーザ、および前記ディスポーザを始動するスイッチをさらに備え、
前記スイッチを入れたとき、前記ノズルの前記水出口から流水を出すようにした、請求項１ないし３のいずれかに記載の排水配管システム。
【発明の詳細な説明】
【技術分野】
【０００１】
この発明は、排水器具から下方に配置される器具排水縦管を分岐継手を介して、排水横枝管路に接続した、排水配管システムに関する。
【背景技術】
【０００２】
従来、排水配管では、大半が１／５０や１／１００の勾配を持たせた重力流下式が用いられているが、重力流下式を用いない排水配管システムの一例として特許文献１に強制排水装置が開示されている。この強制排水装置では、水回り設備に接続管が接続され、その接続管と水平管とがエルボで接続されて、エルボにジェット水流ノズル部分が設けられている。そして、間接圧力給水タンクによって水の圧力が水道給水圧より高められて、ジェット水流ノズル部分から排水管内へジェット水流が噴射され、水平管の残留物が吹き飛ばされる。
【特許文献１】特許第３６２０６５４号公報［Ｅ０３Ｃ  １／１２２、Ｅ０３Ｃ  １／３０４］
【発明の開示】
【発明が解決しようとする課題】
【０００３】
特許文献１の従来技術では、ジェット水流を発生させるために間接圧力給水タンクを設置する必要があり、コストが嵩んでしまう。
【０００４】
また、ジェット水流ノズル部分がエルボに設けられることにより、水回り設備から接続管へ排水が排出されると、ジェット水流ノズル部分の先端に排水が付いてしまう。このため、ジェット水流ノズル部分の先端に排水のごみが付着し、ジェット水流ノズル部分を詰まらせてしまう恐れがある。
【０００５】
それゆえに、この発明の主たる目的は、水出口の詰まりを防止し、かつ経済的な排水配管システムを提供することである。
【課題を解決するための手段】
【０００６】
請求項１の発明は、排水器具から下方に配置される器具排水縦管を分岐継手を介して、排水横枝管路に接続した排水配管システムにおいて、器具排水縦管との接続位置より排水横枝管路の上流側にノズルを設け、ノズルの水出口を排水横枝管路の管頂より高い位置に配置するようにしたことを特徴とする、排水配管システムである。
【０００７】
請求項１の発明では、排水器具（１２：実施例において相当する部分を例示する参照符号。以下同じ。）に器具排水縦管（１４）が接続され、器具排水縦管（１４）が下方に延びる。この器具排水縦管（１４）の下端部に分岐継手（１８）を介して排水横枝管路（１６）が接続されて、排水横枝管路（１６）が側方に延びる。また、器具排水縦管（１４）との接続位置より排水横枝管路（１６）の上流側にノズル（４４）が設けられ、ノズル（４４）の先端に形成される水出口（２２）が排水横枝管路（１６）の管頂より高い位置に配置される。
【０００８】
このような排水配管システム（１０）において、排水器具（１２）から排水が流れると、排水は、器具排水縦管（１４）を流下して、分岐継手（１８）を通り、排水横枝管路（１６）へ流れる。そして、排水が排水横枝管路（１６）を流れるのと同時、または流れた後、ノズル（４４）から供給される流水が水出口（２２）から噴出し、排水横枝管路（１６）内に流れ込む。これにより、排水のごみが排水と共に排水横枝管路（１６）を移動せずに、これらの中に残留してしまっても、ごみは流水によって上流側から下流側へ押し流されて、排水横枝管路（１６）の下流側へ搬送される。
【０００９】
このように、加圧されたジェット水流を用いないで、排水横枝管路（１６）に残留するごみを流水で押し流すことにより、加圧装置など特殊装置を必要とせず、コストの低減化が図られる。
【００１０】
また、器具排水縦管（１４）より上流側にノズル（４４）および水出口（２２）を設けているため、排水が器具排水縦管（１４）を流下する際に排水が水出口（２２）に付くことがない。また、排水横枝管路（１６）の管頂より高い位置に水出口（２２）を配置すると、仮に排水横枝管路（１６）に多量の排水が流れても、水出口（２２）が排水に浸からない。したがって、排水のごみが水出口（２２）に付着することが防がれ、水出口（２２）およびノズル（４４）の詰まりが抑えられる。
【００１１】
請求項２の発明は、排水横枝管路の角より上流側にノズルを設け、ノズルの水出口を排水横枝管路の管頂より高い位置に配置するようにしたことを特徴とする、請求項１記載の排水配管システムである。
【００１２】
請求項２の発明では、排水横枝管路（１６）の角より上流側にノズル（４４）が設けられ、ノズル（４４）の先端に形成される水出口（２２）が排水横枝管路（１６）の管頂より高い位置に配置される。
【００１３】
この排水横枝管路（１６）の角にはごみが溜まりやすいが、排水器具（１２）からの排水が排水横枝管路（１６）の角を流れるのと同時、またはその後に水出口（２２）から流水を噴出させれば、流水で排水を排水横枝管路（１６）の下流側に押し流ことができるため、ごみを除去し、ごみの滞留を防げる。
【００１４】
請求項３の発明は、排水横枝管路に設けられる温度センサをさらに備え、温度センサの検出温度が所定温度を超えたとき、ノズルの水出口から流水を出すようにした、請求項１または２記載の排水配管システムである。
【００１５】
請求項３の発明では、排水横枝管路（１６）に温度センサ（５２）が設けられる。
【００１６】
排水器具（１２）から排水が排出されると、排水が排水横枝管路（１６）を流れて、温度センサ（５２）がこの排水の温度を検出する。そして、温度センサ（５２）の検出温度が所定温度を超えると、流水が水出口（２２）から流出する。
【００１７】
この流水により、排水横枝管路（１６）および排水が冷却されて、排水横枝管路（１６）の熱劣化を防止することができる。また、排水横枝管路（１６）の温度が高くならないため、排水横枝管路（１６）を耐熱材料で形成する必要がなく、これらの製品コストを抑えられる。
【００１８】
請求項４の発明は、排水器具に設けられたディスポーザ、およびディスポーザを始動するスイッチをさらに備え、スイッチを入れたとき、ノズルの水出口から流水を出すようにした、請求項１ないし３のいずれかに記載の排水配管システムである。
【００１９】
請求項４の発明では、排水器具（１２）にディスポーザ（５６）が設置され、ディスポーザ（５６）にスイッチ（５８）が設けられる。
【００２０】
スイッチ（５８）を入れると、ディスポーザ（５６）によりごみが粉砕されて、粉砕ごみが排水と共に器具排水縦管（１４）、排水横枝管路（１６）の中を流れる。また、スイッチ（５８）の信号によりディスポーザ（５６）の運動に連動した適切なタイミングで流水が水出口（２２）から噴出される。流水は、排水横枝管路（１６）を流れながら、粉砕ごみを押し流す。これにより、粉砕ごみが流水により確実に搬送され、排水横枝管路（１６）の中に粉砕ごみの固まりが形成されず、これらの詰まりが防止される。
【発明の効果】
【００２１】
この発明によれば、特殊装置などを必要とせず経済的であり、また、水出口の詰まりが防止される。
【００２２】
この発明の上述の目的，その他の目的，特徴および利点は、図面を参照して行う以下の実施例の詳細な説明から一層明らかとなろう。
【発明を実施するための最良の形態】
【００２３】
図１に示すこの発明の一実施例である排水配管システム１０は、排水器具１２に繋がる器具排水縦管１４を排水横枝管路１６に分岐継手１８を介して接続し、この器具排水縦管１４との接続位置より排水横枝管路１６の上流側に給水管２０の水出口２２を設けることにより形成される。そして、排水横枝管路１６に水出口２２から給水することにより、排水に含まれる厨介および汚物などのごみを搬送するシステムである。
【００２４】
図１に示すように、排水器具１２は排水を排出する器具であって、排水器具１２には台所シンク、洗濯機および風呂およびトイレなどが挙げられる。排水にはごみが含まれており、このごみの種類および量は排水器具の種類によって異なる。排水器具１２は床上に配置され、排水器具１２に器具排水縦管１４が接続される。
【００２５】
器具排水縦管１４は排水器具１２から排出される排水を流下させる管である。器具排水縦管１４は垂直方向または略垂直方向に配置され、床２４の貫通孔２６を通り、器具排水縦管１４の上端部が排水器具１２に床２４上で接続され、下端部が分岐継手１８に床２４下で接続される。
【００２６】
分岐継手１８は金属または合成樹脂で形成され、３つの接続口２８を有する管継手であって、分岐継手１８にはＴ字型管継手などが用いられる。３つの接続口２８はそれぞれ受口で形成され、３つの接続口２８を第１接続口２８ａ、第２接続口２８ｂおよび第３接続口２８ｃとする。第１接続口２８ａは上方に向いて開口し、器具排水縦管１４の下端部と接続される。第２接続口２８ｂは器具排水縦管１４の下流側に設けられ、側方、図１では左側に向いて開口し、排水横枝管路１６の上流側端部と接続される。第３接続口２８ｃは器具排水縦管１４の上流側に設けられ、側方、図１では右側に向いて開口し、継手３０の水平端部と接続される。分岐継手１８および継手３０が合成樹脂で形成される場合は、各接続口２８と各端部とは接着接合またはゴム輪接合され、これらの接合部は水密性および気密性を有する。
【００２７】
排水横枝管路１６は排水横枝管２９、分岐継手１８の水平部分１９、および継手３０を含む。分岐継手１８の水平部分１９とは、第２接続口２８ｂと第３接続口２８ｃとを繋ぐ直管部であって、水平方向または略水平方向に配置される。ここで、略水平方向とは、重力排水方式における排水管の勾配：１／１００や１／５０より小さい勾配を表し、以下同様である。
【００２８】
排水横枝管２９は、直管であって、金属または合成樹脂で形成される。排水横枝管２９の上流側端部が分岐継手１８により器具排水縦管１４の下端部に接続され、器具排水縦管１４から流入する排水を下流側へ流す。排水横枝管２９は、器具排水縦管１４との接続位置より下流側に水平方向または略水平方向に配置され、固定具３２により固定される。
【００２９】
継手３０は９０度に湾曲し、両端に下端開口３４および上端開口３６が設けられる。下端開口３４から水平方向に水平端部が延び、９０度に湾曲し、その上端に上端開口３６が形成される。水平端部は分岐継手１８の第３接続口２８ｃに接続されて、器具排水縦管１４より上流側に継手３０が配置される。継手３０は下端開口３４で分岐継手１８および排水横枝管２９と連通し、下端開口３４と対向する曲面３８は滑らかに上方へ湾曲する。また、上端は水平に形成され、上端開口３６は上方に向く。上端開口３６の高さは排水横枝管２９の管頂より上に設けられ、上端開口３６が蓋４０で覆われる。
【００３０】
蓋４０に給水用のノズル４４が接続され、ノズル４４は器具排水縦管１４との接続位置より排水横枝管路１６の上流側に設けられ、蓋４０から垂直方向の上側へ延びる。ノズル４４は給水管２０の一端に接続され、給水管２０の他端に配水管（図示せず）が接続される。これにより、配水管から給水管２０へ流水が供給されて、ノズル４４の先端開口が流水の水出口２２として用いられる。この水出口２２の内径をノズル４４および給水管２０の内径より小さく形成されて、上水の一般的な給水圧、たとえば、０．１−０．３ＭＰａで流水が水出口２２から供給される。ノズル４４によって水出口２２から噴出する流水は、適切な流量、流速および圧力になるように調節される。
【００３１】
また、水出口２２が蓋４０の内面から突出しないように配置され、また、器具排水縦管１４より上流側であって、かつ排水横枝管路１６の管頂より高い位置に配置される。この排水横枝管路１６の管頂とは、排水横枝管路１６のうちで水平方向または略水平方向に延びる管部、つまり排水横枝管２９の内面および分岐継手１８の水平部分１９の内面における最も高い位置を示す。
【００３２】
給水管２０に電磁弁４６が接続され、電磁弁４６が開くと水出口２２から給水され、反対に電磁弁４６を閉めると給水が止められる。この電磁弁４６は、排水が排水器具１２から排出されると開閉するように制御される。たとえば、水検知センサ（図示せず）で排水の流れを検知したり、水栓使用検知センサ（図示せず）で流水の使用を検知したりすることにより、電磁弁４６が開かれる。
【００３３】
このような排水配管システム１０において、排水器具１２から排水が排出されると、排水は、器具排水縦管１４を流下して、分岐継手１８を通り、排水横枝管２９へ流れる。また、水検知センサまたは水栓使用検知センサなどからの信号により電磁弁４６が開き、流水が給水管２０およびノズル４４を通り、水出口２２から下方へ噴出する。そして、排水横枝管路１６を排水が流れるのと同時、または流れた後に、排水横枝管路１６を流水が上流側から下流側へ流れる。
【００３４】
このため、排水の中のごみが排水と共に排水横枝管路１６を移動せずに、これらの中に残留しても、この残留ごみは流水によって下流側へ押し流される。
【００３５】
このように、排水横枝管路１６を水平方向または略水平方向に配置しても、水出口２２からの流水が排水に加わるので、排水横枝管路１６などの残留ごみを押し流すことができ、優れた排水性能を発揮する。
【００３６】
そして、一般的な上水の給水圧程度で残留ごみを押し流すことにより、水圧を上げる特殊な装置などを必要とせず、コストの低減化が図られる。
【００３７】
また、器具排水縦管１４より上流側に水出口２２を設けているため、排水が器具排水縦管１４を流下する際に排水が水出口２２に付くことがない。また、排水横枝管路１６の管頂より高い位置に水出口２２を配置すると、仮に排水横枝管路１６に多量の排水が流されても、水出口２２が排水に浸からない。このため、排水のごみが水出口２２に付着することが防がれ、水出口２２の詰まりが抑えられる。これにより、メンテナンスなしに長期間に亘って排水配管システム１０を使用できる。
【００３８】
そして、下端開口３４と対向する曲面３８が滑らかに上方へ湾曲することにより、排水が器具排水縦管１４から上流側へ流れても、ごみが上流側に残留しない。
【００３９】
さらに、排水横枝管路１６に勾配を付ける必要がないため、固定具３２には排水横枝管路１６の勾配調節機能が不要になり、構造を簡素化でき、かつ勾配を付ける作業が省け、経済性および施工性に優れる。しかも、排水横枝管路１６の高さを一定にできるため、プレハブ製品化および他の設備とのモジュール化が容易になる。また、排水横枝管路１６の配管スペースを低く抑えられたり、排水横枝管路１６の長さおよび配置の制約が少なくなったりすることにより、適用範囲が広がる。
【００４０】
図２に示すこの発明の他の実施例である排水配管システム１０は図１に示す排水配管システム１０とほぼ同じである。しかしながら、図１では水検知センサまたは水栓使用検知センサなどの信号により電磁弁４６の開閉を制御したのに対して、図２では温度センサ５２による信号により電磁弁４６の開閉を制御する点が異なる。これ以外の部分に関しては図１に示す排水配管システム１０と同様であるため、重複する説明は省略する。
【００４１】
排水横枝管路１６、たとえば水平部分１９および排水横枝管２９のそれぞれの管底の外面に温度センサ５２が設けられる。温度センサ５２は水平部分１９および排水横枝管２９の各外面の温度を検出することによりそこを流れる排水の温度を推測するものであって、検出温度の信号が第１制御部５４に送られる。
【００４２】
温度センサ５２および電磁弁４６に第１制御部５４が接続される。第１制御部５４は、温度センサ５２から検出温度の信号を受け、検出温度が所定温度より高いと判断すると、電磁弁４６に開弁の信号を送る。この所定温度は、排水横枝管２９および分岐継手１８に用いられる樹脂の熱的性質を参考に決定される。たとえば、熱変形温度、脆化温度、ガラス転移温度または連続耐熱温度より低い温度であって、排水横枝管２９および分岐継手１８が熱劣化および熱変形しない温度に設定される。
【００４３】
排水器具１２は排水を排出する器具であって、台所シンク、洗濯機および風呂およびトイレなどが挙げられるが、中でも特に高温の排水が排出される器具、たとえば食器洗浄器または業務用のゆで麺機などが適している。
【００４４】
このような排水配管システム１０において、排水器具１２から排水が排出されると、排水が器具排水縦管１４の中を通り、排水横枝管路１６の管底上を流れる。この水平部分１９および排水横枝管２９を温度センサ５２が検出し、検出信号が第１制御部５４に送られる。検出温度が所定温度を超えると第１制御部５４が判断すると、電磁弁４６が開き、流水が水出口２２から噴出する。この流水により、残留ごみが押し流されるとともに、分岐継手１８、排水横枝管２９および排水が冷却されて、分岐継手１８および排水横枝管２９の熱劣化が防止される。
【００４５】
また、分岐継手１８および排水横枝管２９の温度が高くならないため、分岐継手１８および排水横枝管２９を耐熱材料で形成する必要がなく、これらの製品コストを抑えられる。
【００４６】
なお、図２では分岐継手１８および排水横枝管２９のそれぞれに温度センサ５２を設けたが、どちらか一方でも構わない。
【００４７】
また、上記実施例において温度センサ５２とともに、図１の水検知センサまたは水栓使用検知センサなどを設置することもできる。
【００４８】
図３に示すこの発明の他の実施例である排水配管システム１０は図１に示す排水配管システム１０とほぼ同じである。しかしながら、図１では水検知センサまたは水栓使用検知センサなどの信号により電磁弁４６の開閉を制御したのに対して、図３では排水器具１２にディスポーザ５６を用い、ディスポーザ５６を始動するスイッチ５８による信号で電磁弁４６の開閉を制御する点が異なる。これ以外の部分に関しては図１の排水配管システム１０と同様であるため、重複する説明は省略する。
【００４９】
排水器具１２はディスポーザ５６を備えた台所シンクであって、台所シンクの排出口にディスポーザ５６が設置される。ディスポーザ５６にスイッチ５８が設けられ、スイッチ５８にはディスポーザ５８の蓋などが用いられる。スイッチ５８を入れると、ディスポーザ５６によりごみが粉砕されて、粉砕ごみが排水と共に器具排水縦管１４へ排出される。
【００５０】
スイッチ５８および電磁弁４６に第２制御部６０が接続される。第２制御部６０はスイッチ５８を入れた際の信号を受けて、電磁弁４６に開弁の信号を送る。
【００５１】
このような排水配管システム１０において、スイッチ５８を入れると、排水および粉砕ごみが器具排水縦管１４から排水横枝管路１６へ流れる。また、スイッチ５８によりディスポーザ５６の運動に連動した適切なタイミングで第２制御部６０が電磁弁４６を開き、流水が水出口２２から噴出する。ここで、ディスポーザ５６の運動に連動した適切なタイミングとは、ディスポーザ５６が運動を開始したのと同時だけでなく、ディスポーザ５６が運動を開始した後、およびディスポーザ５６が運動を停止した後も含む。そして、水出口２２からの流水により粉砕ごみが押し流されて確実に搬送されるため、排水横枝管路１６の中に粉砕ごみが固まらず、これらの詰まりが防止される。
【００５２】
なお、上記実施例においてディスポーザ５６のスイッチ５８だけでなく、図２に示す温度センサ５２、図１の水検知センサまたは水栓使用検知センサなどを併設することもできる。
【００５３】
なお、上記の全での実施例では、水出口２２の内径をノズル４４および給水管２０の内径より小さく設定したが、水出口２２の内径をノズル４４および給水管２０の内径と同じまたはほぼ同じに設定することもできる。
【００５４】
また、上記全ての実施例では、９０度に湾曲する継手３０を用い、上端を水平に形成して、給水管２０は垂直方向に配置し、流水を水出口２２から下方へ噴出させたが、上端および給水管２０の向きはこれに限定されない。たとえば、図４に示すように、４５度に湾曲する継手６２を用い、上端を斜め４５度に傾斜させて形成して、給水管２０を斜め方向に配置し、流水を水出口２２から斜め方向へ噴出させることもできる。このように、流水の噴出方向に水平方向の成分を加えることにより、流水が残留ごみを押し流す力が増す。
【００５５】
さらに、水検知センサ、水栓使用検知センサ、温度センサ５２およびディスポーザ５６のスイッチ５８などからの信号により電磁弁４６の開閉を制御したが、一定時間ごとに電磁弁４６を開閉するように設定することもできる。この一定時間は、たとえば分岐継手１８および排水横枝管２９の内面が乾かない程度の時間とされる。このように設定すると、残留ごみが乾燥して、分岐継手１８および排水横枝管２９の内面に残留ごみが固着することが防がれ、排水横枝管路１６などの排水性能が維持され、かつ排水横枝管路１６などを衛生的に保つことができる。
【００５６】
そして、上記全ての実施例では給水管２０を配水管に接続し、ごみの搬送に流水として流水を用いたが、給水管２０を雨水貯留タンク（図示せず）に接続し、ごみの搬送に流水として雨水を用いることもできる。
【００５７】
この場合、雨水貯留タンクが水出口２２より高い位置、たとえば建物の屋上に配置され、雨水貯留タンクに雨水が貯められ、給水管２０が下方に延び、雨水が雨水貯留タンクから給水管２０の中を流下する。このため、雨水を利用することにより節水でき、しかも、雨水を流下させることにより雨水の位置エネルギを運動エネルギに利用できるため、ランニングコストを抑えられる。また、雨水を加圧する特殊な装置などを必要とせず、コストの低減化が図られる。
【００５８】
また、上記全ての実施例において、器具排水縦管１４と排水横枝管路１６とを分岐継手１８で接続し、器具排水縦管１４の上流側にノズル４４を設けた。これに対して、図５に示すように、排水横枝管路１６の角の上流側にノズル４４を設けることもできる。この場合、分岐継手１８の第１接続口２８ａを水平方向に向けて、第１接続口２８ａに排水横枝管６４を接続すると、２つの排水横枝管２９、６４がそれぞれ水平方向に延び、かつ直交して、分岐継手１８で接続され、この接続部分が排水横枝管路１６の角となる。そして、分岐継手１８の上流側にある第３接続口２８ｃに継手３０を接続し、この上端開口３６に装着された蓋４０にノズル４４を流水の水出口２２として接続し、水出口２２を排水横枝管路１６の管頂より高い位置に配置する。これにより、排水横枝管６４から排水横枝管２９に流入した排水を水出口２２から噴出した流水で排水横枝管２９の下流側に押し流ことができるため、排水横枝管路１６の角に溜まりやすいごみを除去することができる。
【図面の簡単な説明】
【００５９】
【図１】この発明の一実施例の排水配管システムを示す断面図である。
【図２】この発明の別の実施例の排水配管システムを示す断面図である。
【図３】この発明のさらに別の実施例の排水配管システムを示す断面図である。
【図４】この発明のさらに別の実施例の排水配管システムを示す断面図である。
【図５】この発明のさらに別の実施例の排水配管システムを示す断面図である。
【符号の説明】
【００６０】
１０…排水配管システム
１２…排水器具
１４…器具排水縦管
１６…排水横枝管路
１８…分岐継手
２０…給水管
２２…水出口
４４…ノズル
５２…温度センサ
５６…ディスポーザ
５８…スイッチ
【図１】
2008025245.tif 000003
【図２】
2008025245.tif 000004
【図３】
2008025245.tif 000005
【図４】
2008025245.tif 000006
【図５】
2008025245.tif 000007